(57)【要約】【課題】電気分解で発生する気泡を円滑に排出できるようにしつつ、電極における電気分解の反応のむらを抑制できる三槽式電解水製造装置を提供する。【解決手段】陽極室６２を区画する上壁部２０ａ及び陰極室７４を区画する上壁部５６ａには、排液口に向かって斜め上方に傾斜する下面が形成されている。中間室６８を区画する上壁部３４ａには、陽極室６２を区画する上壁部２０ａ及び陰極室７４を区画する上壁部５６ａのそれぞれの下面よりも下方に位置する下面が形成されている。【選択図】図５Ｂ
2018065106.tif 000002
【特許請求の範囲】
【請求項１】
陽極が配置される陽極室及び陰極が配置される陰極室に供給される原水と前記陽極室と陰イオン交換膜を介して仕切られ前記陰極室と陽イオン交換膜を介して仕切られる中間室に供給される塩素系電解質水溶液とを電気分解することによって電解水を生成する三槽式電解水製造装置であって、
前記陽極室を区画する上壁部及び前記陰極室を区画する上壁部には、排液口に向かって斜め上方に傾斜する下面が形成されており、
前記中間室を区画する上壁部には、前記陽極室を区画する上壁部及び前記陰極室を区画する上壁部のそれぞれの下面よりも下方に位置する下面が形成されている、
三槽式電解水製造装置。
【請求項２】
前記中間室を区画する前記上壁部には、水平な下面が形成されている、
請求項１に記載の三槽式電解水製造装置。
【請求項３】
前記陽極室、前記陰極室、又は、前記中間室を区画する下壁部には、当該室を区画する上壁部の下面と平行な上面が形成されており、
前記陽極室、前記陰極室、又は、前記中間室を区画する両側壁部のそれぞれには、互いに対向する内側面が形成されている、
請求項１又は２に記載の三槽式電解水製造装置。
【請求項４】
前記陽極室を区画する陽極室ケースは、前記陰極室を区画する陰極室ケースと同じ形状であり、
前記陽極が、前記陰極と同じ形状であり、
前記陰イオン交換膜が、前記陽イオン交換膜と同じ形状である、
請求項１から３のいずれか一項に記載の三槽式電解水製造装置。
【請求項５】
前記中間室を区画する中間室ケースが、前記陽極室ケース側から前記陰極室ケース側を見た際の形状と前記陰極室ケース側から前記陽極室ケース側を見た際の形状とが同じである、
請求項４に記載の三槽式電解水製造装置。
【発明の詳細な説明】
【技術分野】
【０００１】
本発明は、三槽式電解水製造装置に関する。
【背景技術】
【０００２】
陽極室や陰極室の上面を排液口に向かって斜め上方に傾斜させることで、電気分解における反応により陽極や陰極に発生する気泡を円滑に排出できるようにした二槽式電解水製造装置が知られている。例えば、特許文献１には、反応室の上面を流出口に向かって上昇傾斜させた二槽式の電解槽が記載されている。また例えば、特許文献２には、二槽式の電解槽の上部角部を内周壁から電解水排出路に向かって傾斜するように形成することが記載されている。
【先行技術文献】
【特許文献】
【０００３】
【特許文献１】特開平８−１５８０８４号公報
【特許文献２】特開２００３−３３４１５３号公報
【発明の概要】
【発明が解決しようとする課題】
【０００４】
発明者らは、三槽式電解水製造装置において、電気分解における反応により陽極や陰極に発生する気泡を円滑に排出することを検討している。
【０００５】
三槽式電解水製造装置には、陽極が配置される陽極室と、陰極が配置される陰極室と、塩素系電解質水溶液が供給される中間室と、が設けられている。そして三槽式電解水製造装置では、陽極室と中間室とが陰イオン交換膜を介して仕切られており、陰極室と中間室とが陽イオン交換膜を介して仕切られている。また三槽式電解水製造装置では、陽極室に供給される原水から酸性電解水が得られ、陰極室に供給される原水からアルカリ性電解水が得られる。
【０００６】
特許文献１や特許文献２に記載されている技術は、電気分解における反応により陽極や陰極に発生する気泡を二槽式電解水製造装置において円滑に排出することに関するものであるので、三槽式電解水製造装置にはそのまま適用できない。
【０００７】
さらに、特許文献１や特許文献２に記載されている技術においては、気泡が円滑に排出されるとはいえ、電解槽内に気泡が全く存在しないというわけではないので、気泡が陽極や陰極の一部に付着する。そのため気泡が付着している部分と付着していない部分との間で電気分解の反応のむらが生じる可能性がある。
【０００８】
本開示の１つの利点は、電気分解で発生する気泡を円滑に排出できるようにしつつ、電極における電気分解の反応のむらを抑制できる三槽式電解水製造装置を提供することにある。
【課題を解決するための手段】
【０００９】
本開示で提案する三槽式電解水製造装置は、陽極が配置される陽極室及び陰極が配置される陰極室に供給される原水と前記陽極室と陰イオン交換膜を介して仕切られ前記陰極室と陽イオン交換膜を介して仕切られる中間室に供給される塩素系電解質水溶液とを電気分解することによって電解水を生成する三槽式電解水製造装置であって、前記陽極室を区画する上壁部及び前記陰極室を区画する上壁部には、排液口に向かって斜め上方に傾斜する下面が形成されており、前記中間室を区画する上壁部には、前記陽極室を区画する上壁部及び前記陰極室を区画する上壁部のそれぞれの下面よりも下方に位置する下面が形成されていてもよい。
【００１０】
本開示の一態様では、前記中間室を区画する前記上壁部には、水平な下面が形成されていてもよい。
【００１１】
また本開示の一態様では、前記陽極室、前記陰極室、又は、前記中間室を区画する下壁部には、当該室を区画する上壁部の下面と平行な上面が形成されており、前記陽極室、前記陰極室、又は、前記中間室を区画する両側壁部のそれぞれには、互いに対向する内側面が形成されていてもよい。
【００１２】
また本開示の一態様では、前記陽極室を区画する陽極室ケースは、前記陰極室を区画する陰極室ケースと同じ形状であり、前記陽極が、前記陰極と同じ形状であり、前記陰イオン交換膜が、前記陽イオン交換膜と同じ形状であってもよい。
【００１３】
この態様では、前記中間室を区画する中間室ケースが、前記陽極室ケース側から前記陰極室ケース側を見た際の形状と前記陰極室ケース側から前記陽極室ケース側を見た際の形状とが同じであってもよい。
【図面の簡単な説明】
【００１４】
【図１】本開示で提案する第１実施形態の三槽式電解水製造装置の内部部品を示す分解斜視図である。
【図２】本開示で提案する第１実施形態の三槽式電解水製造装置の組立途中における分解斜視図である。
【図３】本開示で提案する第１実施形態の三槽式電解水製造装置の外観斜視図である。
【図４】本開示で提案する第１実施形態の三槽式電解水製造装置の右側面図である。
【図５Ａ】図４に示す三槽式電解水製造装置のＡ−Ａ線断面図である。
【図５Ｂ】図４に示す三槽式電解水製造装置のＢ−Ｂ線断面図である。
【図６】本開示で提案する第１実施形態の中間室ケースの右側面図である。
【図７】本開示で提案する第１実施形態の陽極室ケースの左側面図である。
【図８】本開示で提案する第２実施形態の三槽式電解水製造装置の内部部品を示す分解斜視図である。
【図９】本開示で提案する第２実施形態の三槽式電解水製造装置の右側面図である。
【図１０Ａ】図９に示す三槽式電解水製造装置のＣ−Ｃ線断面図である。
【図１０Ｂ】図９に示す三槽式電解水製造装置のＤ−Ｄ線断面図である。
【図１１】本開示で提案する第３実施形態の三槽式電解水製造装置の内部部品を示す分解斜視図である。
【図１２】本開示で提案する第３実施形態の三槽式電解水製造装置の構成の一例を説明する説明図である。
【図１３】本開示で提案する第４実施形態の三槽式電解水製造装置の内部部品を示す分解斜視図である。
【図１４】本開示で提案する第４実施形態の中間室ユニットの左側面図である。
【図１５】本開示で提案する第４実施形態の中間室ユニットの右側面からみた透過図である。
【図１６】本開示で提案する第５実施形態の三槽式電解水製造装置の内部部品を示す分解斜視図である。
【図１７】本開示で提案する第５実施形態の中間室ユニットの左側面図である。
【図１８】本開示で提案する第５実施形態の中間室ユニットの右側面からみた透過図である。
【発明を実施するための形態】
【００１５】
［第１実施形態］
以下、本発明の一実施形態について、図面を参照しながら説明する。
【００１６】
図１は、本開示で提案する第１実施形態の三槽式電解水製造装置１の内部部品を示す分解斜視図である。図２は、第１実施形態の三槽式電解水製造装置１の組立途中における分解斜視図である。図３は、第１実施形態の三槽式電解水製造装置１の外観斜視図である。図４は、第１実施形態の三槽式電解水製造装置１の右側面図である。図５Ａは、図４に示す三槽式電解水製造装置１のＡ−Ａ線断面図である。図５Ｂは、図４に示す三槽式電解水製造装置１のＢ−Ｂ線断面図である。図６は、第１実施形態の中間室ケース３４の右側面図である。図７は、第１実施形態の陽極室ケース２０の左側面図である。
【００１７】
なお、以下の説明では、図１において右端に示されている陽極室ケース２０に形成されている陽極室凹部２０ｅの開口の向きを左方向（Ｘ１方向）とし、その逆向きを右方向（Ｘ２方向）とする。また、その手前側面の向きを前方（Ｙ１方向）とし、その逆向きを後方（Ｙ２方向）とする。また、その上面の向きを上方向（Ｚ１方向）とし、その逆向きを下方向（Ｚ２方向）とする。
【００１８】
本開示で提案する三槽式電解水製造装置１には、図１及び図２に示すように、陽極室ユニット１０、中間室ユニット１２、及び、陰極室ユニット１４、が含まれていてもよい。陽極室ユニット１０には、陽極室ケース２０、Ｏリング２２、陽極２４、及び、陰イオン交換膜２６が含まれていてもよい。中間室ユニット１２には、外側Ｏリング３０、内側Ｏリング３２、メッシュパーツ３３、中間室ケース３４、メッシュパーツ３７、外側Ｏリング３８、及び、内側Ｏリング４０が含まれていてもよい。陰極室ユニット１４には、陽イオン交換膜５０、陰極５２、Ｏリング５４、及び、陰極室ケース５６が含まれていてもよい。
【００１９】
陽極室ユニット１０には、樹脂製である板状の陽極室ケース２０が含まれていてもよい。陽極室ケース２０の左側面の中央には、陽極室６２の内壁となる陽極室凹部２０ｅが形成されていてもよい。
【００２０】
陽極室ケース２０の上面奥側には、円筒状の陽極室排液口６４が上方に突出するように形成されていてもよい。また、当該陽極室排液口６４及び陽極室ケース２０の内部には、陽極室凹部２０ｅの底面の奥側上部に右側から至る断面Ｌ字形状の排出路６４ａが形成されていてもよい。ここで例えば排出路６４ａの一部として、陽極室ケース２０の上面奥側から下方向に陽極室凹部２０ｅの底面の奥側上部付近まで延伸する先細の部分排出路６４ａａが形成されていてもよい。また排出路６４ａの一部として、陽極室凹部２０ｅの底面の奥側上部から右方向に延伸して部分排出路６４ａａと接続される部分排出路６４ａｂが形成されていてもよい。
【００２１】
また陽極室ケース２０の下面手前側には、円筒状の陽極室給液口６０が下方に突出するように形成されていてもよい。また、当該陽極室給液口６０及び陽極室ケース２０の内部には陽極室凹部２０ｅの底面の手前側下部に右側から至る断面Ｌ字形状の流入路６０ａが形成されていてもよい。ここで例えば流入路６０ａの一部として、陽極室ケース２０の下面手前側から上方向に陽極室凹部２０ｅの底面の手前側下部付近まで延伸する先細の部分流入路６０ａａが形成されていてもよい。また流入路６０ａの一部として、陽極室凹部２０ｅの底面の手前側下部から右方向に延伸して部分流入路６０ａａと接続される部分流入路６０ａｂが、形成されていてもよい。
【００２２】
また、陽極室ケース２０には、陽極室凹部２０ｅを囲むように、上壁部２０ａ、下壁部２０ｂ、手前側壁部２０ｃ、及び、奥側壁部２０ｄが形成されていてもよい。また陽極室凹部２０ｅの中央に、上壁部２０ａの下面及び下壁部２０ｂの上面に沿って延伸する凸部２０ｆが形成されていてもよい。
【００２３】
陽極室ケース２０の左側面に形成された陽極室凹部２０ｅの周縁にＯリング２２が収容されてもよい。また陽極室凹部２０ｅ及びＯリング２２を覆うように、陽極室ケース２０の左側面には板状の陽極２４が配置されてもよい。
【００２４】
陽極２４には前方に突出するようにタブ状の端子２４ａが形成されていてもよい。また陽極２４には液体を通すための多数の孔がメッシュ状に形成されていてもよい。なおこれらの孔は、陽極２４において後述する内側Ｏリング３２と対向する位置よりも内側に形成されていてもよい。陽極２４の材料としては、例えば、酸化イリジウム、白金などが挙げられる。
【００２５】
陽極２４の左側には柔軟性のある薄膜である陰イオン交換膜２６が陽極２４に添うように配置され、陰イオン交換膜２６と陽極室凹部２０ｅとにより陽極室６２が液密に区画されていてもよい。陽極室給液口６０から後述する原水が流入され、当該原水が陽極室６２で酸性電解水となり、陽極室排液口６４から排出されてもよい。図５Ｂには、陽極室給液口６０から流入され陽極室排液口６４から排出される原水の流路が二点鎖線の矢印Ａ１で示されている。
【００２６】
なお図１〜図３に示すように、原水が陽極室６２の１つの隅（例えば手前側の下隅）に流入し対向する隅（例えば奥側の上隅）から排出されるようにすることで、原水が陽極室６２全体に行き渡るようにしてもよい。また陽極室凹部２０ｅに凸部２０ｆを形成することで原水が上側の流れと下側の流れとに分流されるようにしてもよい。
【００２７】
中間室ユニット１２には、樹脂製である矩形枠状の中間室ケース３４が含まれていてもよい。中間室ケース３４の開口３６は、左右方向を向くように配置されていてもよい。
【００２８】
また、中間室ケース３４には、開口３６を囲むように、上壁部３４ａ、下壁部３４ｂ、手前側壁部３４ｃ、及び、奥側壁部３４ｄが形成されていてもよい。
【００２９】
中間室ケース３４の上面奥側には、円筒状の中間室排液口７０が上方に突出するように形成されていてもよい。また、当該中間室排液口７０及び中間室ケース３４の内部には、鉛直方向に延伸し開口３６の奥側上部に上側から至る排出路７０ａが形成されていてもよい。また中間室ケース３４の下面手前側には、円筒状の中間室給液口６６が下方に突出するように形成されていてもよい。また、当該中間室給液口６６及び中間室ケース３４の内部には鉛直方向に延伸し開口３６の手前側下部に下側から至る流入路６６ａが形成されていてもよい。
【００３０】
また中間室ケース３４の右側面に、メッシュパーツ３３が、陰イオン交換膜２６に沿うように設けられていてもよい。このようにしてメッシュパーツ３３によって陰イオン交換膜２６が支持されるようにしてもよい。メッシュパーツ３３は、透明な樹脂製である板状の部材であってもよい。またメッシュパーツ３３には、Ｘ１−Ｘ２方向に沿って見た際に開口３６と重なる領域内に、多数の孔が形成されていてもよい。またメッシュパーツ３３の、Ｘ１−Ｘ２方向に沿って見た際に開口３６と重なる領域の外側には、孔が形成されていなくてもよい。
【００３１】
また中間室ケース３４の左側面に、メッシュパーツ３７が、後述する陽イオン交換膜５０に沿うように設けられていてもよい。メッシュパーツ３７は、透明な樹脂製である板状の部材であってもよい。またメッシュパーツ３７には、Ｘ１−Ｘ２方向に沿って見た際に開口３６と重なる領域内に、多数の孔が形成されていてもよい。またメッシュパーツ３７の、Ｘ１−Ｘ２方向に沿って見た際に開口３６と重なる領域の外側には、孔が形成されていなくてもよい。
【００３２】
またメッシュパーツ３３における孔が形成されていない部分が、陰イオン交換膜２６と中間室ケース３４の右側面との間で挟まれるように配置されてもよい。またメッシュパーツ３７における孔が形成されていない部分が、陽イオン交換膜５０と中間室ケース３４の左側面との間で挟まれるように配置されてもよい。このようにして、陰イオン交換膜２６と陽イオン交換膜５０との間に存在する、Ｘ１−Ｘ２方向に沿って見た際に開口３６と重なる領域の外側の空間がメッシュパーツ３３やメッシュパーツ３７によってふさがれてもよい。
【００３３】
またメッシュパーツ３３の左側面に凸部３３ａが形成されており、メッシュパーツ３７の右側面の、凸部３３ａに対応する位置に、凸部３７ａが形成されていてもよい。例えばメッシュパーツ３３の左側面の奥側中央と手前側中央の２箇所に手前の下から奥の上に延伸する凸部３３ａが形成されており、メッシュパーツ３７の右側面の奥側中央と手前側中央の２箇所に手前の上から奥の下に延伸する凸部３７ａが形成されていてもよい。そして凸部３３ａと凸部３７ａとが当接することにより、メッシュパーツ３３とメッシュパーツ３７との間の空間が確保されるようにしてもよい。
【００３４】
陰イオン交換膜２６と後述する陽イオン交換膜５０とにより液密に区画された中間室６８に、中間室給液口６６から後述する塩素系電解質水溶液が流入され、中間室排液口７０から排出されてもよい。図５Ｂには、中間室給液口６６から流入され中間室排液口７０から排出される塩素系電解質水溶液の流路が二点鎖線の矢印Ａ２で示されている。
【００３５】
なお上述のように塩素系電解質水溶液が開口３６の１つの隅（例えば手前側の下隅）に流入し対向する隅（例えば奥側の上隅）から排出されるようにすることで、塩素系電解質水溶液が開口３６全体に行き渡るようにしてもよい。また上述のようにメッシュパーツ３３やメッシュパーツ３７を配置して、塩素系電解質水溶液が存在する空間が制限されるようにしてもよい。例えば中間室６８内の、Ｘ１−Ｘ２方向に沿って見た際に開口３６と重なる領域の外側の空間に塩素系電解質水溶液が入らないようにしてもよい。
【００３６】
中間室ケース３４の右側面には外側Ｏリング３０及び内側Ｏリング３２が二重に収容されてもよい。また中間室ケース３４の左側面には外側Ｏリング３８及び内側Ｏリング４０が二重に収容されてもよい。
【００３７】
陰極室ユニット１４には、樹脂製である板状の陰極室ケース５６が含まれていてもよい。陰極室ケース５６の右側面の中央には、陰極室７４の内壁となる陰極室凹部５６ｅが形成されていてもよい。
【００３８】
陰極室ケース５６の上面奥側には、円筒状の陰極室排液口７６が上方に突出するように形成されていてもよい。また、当該陰極室排液口７６及び陰極室ケース５６の内部には、陰極室凹部５６ｅの底面の奥側上部に左側から至る断面Ｌ字形状の排出路７６ａが形成されていてもよい。また陰極室ケース５６の下面手前側には、円筒状の陰極室給液口７２が下方に突出するように形成されていてもよい。また、当該陰極室給液口７２及び陰極室ケース５６の内部には陰極室凹部５６ｅの底面の手前側下部に左側から至る断面Ｌ字形状の流入路７２ａが形成されていてもよい。
【００３９】
また、陰極室ケース５６には、陰極室凹部５６ｅを囲むように、上壁部５６ａ、下壁部５６ｂ、手前側壁部５６ｃ、及び、奥側壁部５６ｄが形成されていてもよい。また陰極室凹部５６ｅの中央に、上壁部５６ａの下面及び下壁部５６ｂの上面に沿って延伸する凸部５６ｆが形成されていてもよい。
【００４０】
陰極室ケース５６の右側面に形成された陰極室凹部５６ｅの周縁にＯリング５４が収容されてもよい。また陰極室凹部５６ｅ及びＯリング５４を覆うように、陰極室ケース５６の右側面には板状の陰極５２が配置されてもよい。
【００４１】
陰極５２には前方に突出するようにタブ状の端子５２ａが形成されていてもよい。また陰極５２には液体を通すための多数の孔がメッシュ状に形成されていてもよい。なおこれらの孔は、内側Ｏリング４０と対向する位置よりも内側に形成されていてもよい。陰極５２の材料は、水素原子よりもイオン化傾向が低い金属であることが好ましく、例えば、白金電極、ダイアモンド電極などが挙げられる。
【００４２】
陰極５２の右側には柔軟性のある薄膜である陽イオン交換膜５０が陰極５２に添うように配置され、陽イオン交換膜５０と陰極室凹部５６ｅとにより陰極室７４が液密に区画されていてもよい。陰極室給液口７２から後述する原水が流入され、当該原水が陰極室７４でアルカリ性電解水となり、陰極室排液口７６から排出されてもよい。図５Ｂには、陰極室給液口７２から流入され陰極室排液口７６から排出される原水の流路が二点鎖線の矢印Ａ３で示されている。
【００４３】
なお上述のように原水が陰極室７４の１つの隅（例えば手前側の下隅）に流入し対向する隅（例えば奥側の上隅）から排出されるようにすることで、原水が陰極室７４全体に行き渡るようにしてもよい。また上述のように陽極室凹部２０ｅに凸部２０ｆを形成することで原水が上側の流れと下側の流れとに分流されるようにしてもよい。
【００４４】
また陽極室ケース２０、中間室ケース３４、及び、陰極室ケース５６のそれぞれにＸ１−Ｘ２方向に沿って設けられた複数の孔に、ねじ等の共締め部材が貫通するようにしてもよい。そして共締め部材によって、陽極室ユニット１０、中間室ユニット１２、及び、陰極室ユニット１４が共締めされ、陽極室ユニット１０、中間室ユニット１２、及び、陰極室ユニット１４がＸ１−Ｘ２方向に互いに圧接されてもよい。
【００４５】
また外側Ｏリング３０とＯリング２２とで陽極２４が挟持されることにより、陽極２４が固定されるようにしてもよい。また陽極２４が凸部２０ｆによって支持されていてもよい。また陰イオン交換膜２６が、内側Ｏリング３２と陽極２４とで挟持されることにより、陰イオン交換膜２６が固定されるようにしてもよい。
【００４６】
また外側Ｏリング３８とＯリング５４とで陰極５２が挟持されることにより、陰極５２が固定されるようにしてもよい。また陰極５２が凸部５６ｆによって支持されていてもよい。また陽イオン交換膜５０が、内側Ｏリング４０と陰極５２とで挟持されることにより、陽イオン交換膜５０が固定されるようにしてもよい。
【００４７】
三槽式電解水製造装置１において、陰イオン交換膜２６を介して陽極室６２と中間室６８とは仕切られ、陽イオン交換膜５０を介して中間室６８と陰極室７４とは仕切られてもよい。そして陰イオン交換膜２６によって陽極室６２と中間室６８との間は陰イオンが通過可能となり、陽イオン交換膜５０によって中間室６８と陰極室７４とは陽イオンが通過可能となってもよい。
【００４８】
そして三槽式電解水製造装置１において、陽極２４の端子２４ａに形成された孔及び陰極５２の端子５２ａに形成された孔に接続される配線を介して、陽極２４及び陰極５２は、直流電源（図示せず）と電気的に接続されてもよい。そして陽極２４と陰極５２との間に電圧が印加されて、原水及び塩素系電解質水溶液を電気分解の対象とする電解工程が行われてもよい。
【００４９】
陽極室給液口６０から陽極室６２に供給される原水、及び、陰極室給液口７２から陰極室７４に供給される原水として、例えば、水道水、井戸水、イオン交換水、蒸留水あるいはＲＯ水などが用いられてもよい。また当該原水は、電解質の合計濃度が１５ｐｐｍ以下の水であってもよい。また例えば、原水における金属イオン濃度（ナトリウムイオン濃度）が例えば、２ｐｐｍ以下であってもよい。
【００５０】
また中間室給液口６６から中間室６８に供給される塩素系電解質水溶液に溶解している塩素系電解質とは、水に溶解すると塩化物イオンを生じる電解質を指すこととする。塩素系電解質として、例えば、アルカリ金属の塩化物（例えば、塩化ナトリウム、塩化カリウム）や、アルカリ土類金属（例えば、塩化カルシウム、塩化マグネシウム）の塩化物が用いられてもよい。
【００５１】
中間室給液口６６から中間室６８に供給される高濃度の塩素系電解質水溶液の濃度は、調製される電解水の質に大きな影響を及ぼさないが、可能な限り高濃度であることが好ましい。なお塩素系電解質水溶液に含まれる塩素系電解質が塩化ナトリウムの場合、当該塩素系電解質水溶液に含まれる塩化ナトリウムの濃度は２６質量％以下であることが好ましい。
【００５２】
中間室給液口６６及び中間室排液口７０が、閉水路を構成する配管に接続されていてもよい。そしてポンプ（図示せず）によって、当該閉水路内を塩素系電解質水溶液が循環してもよい。この場合、中間室６８は、当該閉水路の一部ということとなる。
【００５３】
上述の電解工程において、中間室６８中の塩素イオンが陰イオン交換膜２６を通過して陽極室６２へと移動し、陽極２４にて塩素イオンが塩素に変換され、陽極室６２にて酸性電解水が生じてもよい。一方、中間室６８中の陽イオンが陽イオン交換膜５０を通過して陰極室７４へと移動し、陰極室７４にてアルカリ性電解水が生じてもよい。
【００５４】
上述の電解工程が行われる場合には、陰極５２にて水素の気泡が発生する。また陽極２４において塩素と酸素の気泡が発生することがある。このような気泡が陽極２４や陰極５２といった電極に付着することで、気泡が付着している部分と付着していない部分との間で電気分解の反応のむらが生じてしまうことがある。
【００５５】
ここで図１及び図２に示すように、陽極室凹部２０ｅのＸ１−Ｘ２方向に垂直な断面が、手前側から奥側に向かって斜め上方に傾いている角丸矩形形状となるよう陽極室ケース２０が形成されてもよい。例えばこのように上壁部２０ａに、陽極室排液口６４に向かって斜め上方に傾斜する下面が形成されるようにして、陽極２４における電気分解で発生する気泡が円滑に陽極室排液口６４から排出されるようにしてもよい。
【００５６】
同様に、陰極室凹部５６ｅのＸ１−Ｘ２方向に垂直な断面が、手前側から奥側に向かって斜め上方に傾いている角丸矩形形状となるよう陰極室ケース５６が形成されてもよい。このように上壁部５６ａに、陰極室排液口７６に向かって斜め上方に傾斜する下面が形成されるようにして、陰極５２における電気分解で発生する気泡が陰極室排液口７６から円滑に排出されるようにしてもよい。
【００５７】
ここで例えば上述のように中間室ケース３４に開口３６が形成されるようにして、陽極２４や陰極５２での電気分解に用いられるイオンのほとんどが開口３６に存在する塩素系電解質水溶液から供給されるようにしたとする。この場合、陽極２４における電気分解反応は、Ｘ１−Ｘ２方向に沿って見た際に開口３６と重なる陽極２４上の領域において主に行われることとなる。また陰極５２における電気分解反応は、Ｘ１−Ｘ２方向に沿って見た際に開口３６と重なる陰極５２上の領域において主に行われることとなる。
【００５８】
そこで例えば図１、図２、図５Ａ、及び、図５Ｂに示すように、開口３６の天面が、陽極室６２の天面や陰極室７４の天面よりも低くなるようにしたとする。すなわち中間室６８を区画する上壁部３４ａに、陽極室６２を区画する上壁部２０ａの下面及び陰極室７４を区画する上壁部５６ａの下面のそれぞれよりも下方に位置する下面を形成したとする。こうすると、陽極２４で発生した気泡は上方に移動するため、陽極室６２内に滞留する気泡のほとんどは、上壁部３４ａの下面を拡張した平面よりも上方の陽極室６２内の空間である、図５Ａ及び図５Ｂに例示する陽極室余裕空間６２ａに存在することとなる。また陰極５２で発生して陰極室７４内に滞留する気泡のほとんどは、上壁部３４ａの下面を拡張した平面よりも上方の陰極室７４内の空間である、図５Ａ及び図５Ｂに例示する陰極室余裕空間７４ａに存在することとなる。
【００５９】
以上で説明したように、中間室６８を区画する上壁部３４ａに、陽極室６２を区画する上壁部２０ａの下面よりも下方に位置する下面が形成されるようにして、陽極２４における電気分解の反応のむらが抑制されるようにしてもよい。また中間室６８を区画する上壁部３４ａに、陰極室７４を区画する上壁部５６ａの下面よりも下方に位置する下面が形成されるようにして、陰極５２における電気分解の反応のむらが抑制されるようにしてもよい。
【００６０】
また陽極室６２に滞留する気泡全体によって形成される空間の下面はほぼ水平であると考えられる。そこで図１及び図２に示すように、滞留する気泡全体によって形成される空間の下面と陽極室余裕空間６２ａの下面とがほぼ一致するよう、中間室６８を区画する上壁部３４ａに水平な下面が形成されていてもよい。このようにして、陽極室余裕空間６２ａが余っているにも関わらず、陽極室６２に滞留する気泡が陽極室余裕空間６２ａからはみ出してしまうことを抑制してもよい。同様に上述のようにして、陰極室余裕空間７４ａが余っているにも関わらず、陰極室７４に滞留する気泡が陰極室余裕空間７４ａからはみ出してしまうことを抑制してもよい。
【００６１】
また図１及び図２に示すように、下壁部２０ｂに上壁部２０ａの下面と平行な上面が形成されており、奥側壁部２０ｄに手前側壁部２０ｃの内側面（手前側壁部２０ｃの奥側面）と平行な内側面（奥側壁部２０ｄの手前側面）が形成されていてもよい。そしてこのようにして陽極室６２を流れる原水の流量分布がほぼ同一となるようにしてもよい。
【００６２】
同様に、下壁部５６ｂに上壁部５６ａの下面と平行な上面が形成されており、奥側壁部５６ｄに手前側壁部５６ｃの内側面（手前側壁部５６ｃの奥側面）と平行な内側面（奥側壁部５６ｄの手前側面）が形成されていてもよい。そしてこのようにして陰極室７４を流れる原水の流量分布がほぼ同一となるようにしてもよい。
【００６３】
また図１、図２、及び、図６に示すように、下壁部３４ｂに上壁部３４ａの下面と平行な上面が形成されており、奥側壁部３４ｄに手前側壁部３４ｃの内側面（手前側壁部３４ｃの奥側面）と平行な内側面（奥側壁部３４ｄの手前側面）が形成されていてもよい。そしてこのようにして中間室６８を流れる塩素系電解質水溶液の流量分布がほぼ同一となるようにしてもよい。
【００６４】
［第２実施形態］
図８は、本開示で提案する第２実施形態の三槽式電解水製造装置１０１の内部部品を示す分解斜視図である。図９は、第２実施形態の三槽式電解水製造装置１０１の右側面図である。図１０Ａは、図９に示す三槽式電解水製造装置１０１のＣ−Ｃ線断面図である。図１０Ｂは、図９に示す三槽式電解水製造装置１０１のＤ−Ｄ線断面図である。
【００６５】
なお、以下の説明では、図８において右端に示されている陽極室ケース１２０に形成されている陽極室凹部１２０ｅの開口の向きを左方向（Ｘ１方向）とし、その逆向きを右方向（Ｘ２方向）とする。また、その手前側面の向きを前方（Ｙ１方向）とし、その逆向きを後方（Ｙ２方向）とする。また、その上面の向きを上方向（Ｚ１方向）とし、その逆向きを下方向（Ｚ２方向）とする。
【００６６】
本開示で提案する三槽式電解水製造装置１０１には、図８に示すように、陽極室ユニット１１０、中間室ユニット１１２、及び、陰極室ユニット１１４、が含まれていてもよい。
【００６７】
陽極室ユニット１１０には、それぞれ陽極室ケース２０、Ｏリング２２、陽極２４、及び、陰イオン交換膜２６と同様の、陽極室ケース１２０、Ｏリング１２２、陽極１２４、及び、陰イオン交換膜１２６が含まれていてもよい。陽極１２４には前方に突出するようにタブ状の端子１２４ａが形成されていてもよい。
【００６８】
陽極室ケース１２０の左側面の中央には、陽極室凹部２０ｅと同様の、陽極室の内壁となる陽極室凹部１２０ｅが形成されていてもよい。また陽極室凹部１２０ｅの中央に、上壁部１２０ａの下面及び下壁部１２０ｂの上面に沿って延伸する凸部１２０ｆが形成されていてもよい。
【００６９】
陰イオン交換膜１２６と陽極室凹部１２０ｅとにより陽極室１６２が液密に区画されていてもよい。
【００７０】
陽極室ケース１２０の上面奥側には、円筒状の陽極室排液口１６４が上方に突出するように形成されていてもよい。また、当該陽極室排液口１６４及び陽極室ケース１２０の内部には、陽極室凹部１２０ｅの底面の奥側上部に右側から至る断面Ｌ字形状の排出路１６４ａが形成されていてもよい。また陽極室ケース１２０の下面手前側には、円筒状の陽極室給液口１６０が下方に突出するように形成されていてもよい。また、当該陽極室給液口１６０及び陽極室ケース１２０の内部には陽極室凹部１２０ｅの底面の手前側下部に右側から至る断面Ｌ字形状の流入路１６０ａが形成されていてもよい。そして陽極室給液口１６０から上述の原水が流入され、当該原水が陽極室１６２で酸性電解水となり、陽極室排液口１６４から排出されてもよい。図１０Ｂには、陽極室給液口１６０から流入され陽極室排液口１６４から排出される原水の流路が二点鎖線の矢印Ａ４で示されている。
【００７１】
また、陽極室ケース１２０には、陽極室凹部１２０ｅを囲むように、上壁部１２０ａ、下壁部１２０ｂ、手前側壁部１２０ｃ、及び、奥側壁部１２０ｄが形成されていてもよい。
【００７２】
中間室ユニット１１２には、それぞれ外側Ｏリング３０、内側Ｏリング３２、外側Ｏリング３８、及び、内側Ｏリング４０と同様の、外側Ｏリング１３０、内側Ｏリング１３２、外側Ｏリング１３８、及び、内側Ｏリング１４０、が含まれていてもよい。また中間室ユニット１１２には、中間室ケース１３４が含まれていてもよい。
【００７３】
中間室ケース１３４にはその開口１３６が左右方向を向くように配置されていてもよい。
【００７４】
また、中間室ケース１３４には、開口１３６を囲むように、上壁部１３４ａ、下壁部１３４ｂ、手前側壁部１３４ｃ、及び、奥側壁部１３４ｄが形成されていてもよい。
【００７５】
中間室ケース１３４の上面奥側には、円筒状の中間室排液口１７０が上方に突出するように形成されていてもよい。また、当該中間室排液口１７０及び中間室ケース１３４の内部には、鉛直方向に延伸し開口３６の奥側上部に上側から至る排出路１７０ａが形成されていてもよい。また中間室ケース１３４の下面手前側には、円筒状の中間室給液口１６６が下方に突出するように形成されていてもよい。また、当該中間室給液口１６６及び中間室ケース１３４の内部には鉛直方向に延伸し開口１３６の手前側下部に下側から至る流入路１６６ａが形成されていてもよい。
【００７６】
そして陰イオン交換膜１２６と後述する陽イオン交換膜１５０とにより液密に区画された中間室１６８に、中間室給液口１６６から上述の塩素系電解質水溶液が流入され、中間室排液口１７０から排出されてもよい。図１０Ｂには、中間室給液口１６６から流入され中間室排液口１７０から排出される塩素系電解質水溶液の流路が二点鎖線の矢印Ａ５で示されている。
【００７７】
また中間室ケース１３４には、中間室ケース３４とは異なり、内側Ｏリング１３２が収容される溝の内側に、凸部１３４ｅが開口１３６の周壁の一部として形成されていていてもよい。そして凸部１３４ｅによって陰イオン交換膜１２６が支持されるようにしてもよい。
【００７８】
また中間室ケース１３４には、中間室ケース３４とは異なり、内側Ｏリング１４０が収容される溝の内側に、凸部１３４ｆが開口１３６の周壁の一部として形成されていてもよい。このようにして開口１３６の厚さが、中間室ケース１３４の厚さと同じになるようにしてもよい。そして凸部１３４ｆによって後述する陽イオン交換膜１５０が支持されるようにしてもよい。
【００７９】
以上のようにして、陰イオン交換膜１２６と陽イオン交換膜１５０との間に存在する、Ｘ１−Ｘ２方向に沿って見た際に開口１３６と重なる領域の外側の空間が凸部１３４ｅや凸部１３４ｆによってふさがれてもよい。そしてこのように凸部１３４ｅや凸部１３４ｆを形成して、塩素系電解質水溶液が存在する空間が制限されるようにしてもよい。例えば、中間室１６８内の、Ｘ１−Ｘ２方向に沿って見た際に開口１３６と重なる領域の外側の空間に塩素系電解質水溶液が入らないようにしてもよい。
【００８０】
陰極室ユニット１１４には、それぞれ陽イオン交換膜５０、陰極５２、Ｏリング５４、及び、陰極室ケース５６と同様の、陽イオン交換膜１５０、陰極１５２、Ｏリング１５４、及び、陰極室ケース１５６が含まれていてもよい。陰極１５２には前方に突出するようにタブ状の端子１５２ａが形成されていてもよい。
【００８１】
陰極室ケース１５６の右側面の中央には、陰極室凹部５６ｅと同様の、陰極室の内壁となる陰極室凹部１５６ｅが形成されていてもよい。また陰極室凹部１５６ｅの中央に、上壁部１５６ａの下面及び下壁部１５６ｂの上面に沿って延伸する凸部１５６ｆが形成されていてもよい。
【００８２】
陽イオン交換膜１５０と陰極室凹部１５６ｅとにより陰極室１７４が液密に区画されていてもよい。
【００８３】
陰極室ケース１５６の上面奥側には、円筒状の陰極室排液口１７６が上方に突出するように形成されていてもよい。また、当該陰極室排液口１７６及び陰極室ケース１５６の内部には、陰極室凹部の底面の奥側上部に左側から至る断面Ｌ字形状の排出路１７６ａが形成されていてもよい。また陰極室ケース１５６の下面手前側には、円筒状の陰極室給液口１７２が下方に突出するように形成されていてもよい。また、当該陰極室給液口１７２及び陰極室ケース１５６の内部には陰極室凹部の底面の手前側下部に左側から至る断面Ｌ字形状の流入路１７２ａが形成されていてもよい。そして陰極室給液口１７２から上述の原水が流入され、当該原水が陰極室１７４でアルカリ性電解水となり、陰極室排液口１７６から排出されてもよい。図１０Ｂには、陰極室給液口１７２から流入され陰極室排液口１７６から排出される原水の流路が二点鎖線の矢印Ａ６で示されている。
【００８４】
また、陰極室ケース１５６には、陰極室凹部を囲むように、上壁部１５６ａ、下壁部１５６ｂ、手前側壁部１５６ｃ、及び、奥側壁部１５６ｄが形成されていてもよい。
【００８５】
三槽式電解水製造装置１０１においても、三槽式電解水製造装置１と同様に、上壁部１２０ａに、陽極室排液口１６４に向かって斜め上方に傾斜する下面が形成されてもよい。また上壁部１５６ａに、陰極室排液口１７６に向かって斜め上方に傾斜する下面が形成されていてもよい。
【００８６】
また、中間室１６８を区画する上壁部１３４ａに、陽極室１６２を区画する上壁部１２０ａの下面及び陰極室１７４を区画する上壁部１５６ａの下面のそれぞれよりも下方に位置する下面が形成されていてもよい。
【００８７】
以上のようにして、陽極１２４で発生して陽極室１６２内に滞留する気泡のほとんどが、上壁部１３４ａの下面を拡張した平面よりも上方の陽極室１６２内の空間である、図１０Ａ及び図１０Ｂに例示する陽極室余裕空間１６２ａに存在するようにしてもよい。また陰極１５２で発生して陰極室１７４内に滞留する気泡のほとんどが、上壁部１３４ａの下面を拡張した平面よりも上方の陰極室１７４内の空間である、図１０Ａ及び図１０Ｂに例示する陰極室余裕空間１７４ａに存在するようにしてもよい。
【００８８】
また、中間室１６８を区画する上壁部１３４ａには、水平な下面が形成されていてもよい。
【００８９】
なお、三槽式電解水製造装置１０１の開口１３６に、メッシュパーツ３３やメッシュパーツ３７と同様の、陰イオン交換膜１２６や陽イオン交換膜１５０を支持するメッシュパーツが配置されていてもよい。
【００９０】
［第３実施形態］
図１１は、本開示で提案する第３実施形態の三槽式電解水製造装置２０１の内部部品を示す分解斜視図である。図１２は、第３実施形態の三槽式電解水製造装置２０１の構成の一例を説明する説明図である。
【００９１】
なお、以下の説明では、図１１において右端に示されている陽極室ケース２２０に形成されている陽極室凹部２２０ｅの開口の向きを左方向（Ｘ１方向）とし、その逆向きを右方向（Ｘ２方向）とする。また、その手前側面の向きを前方（Ｙ１方向）とし、その逆向きを後方（Ｙ２方向）とする。また、その上面の向きを上方向（Ｚ１方向）とし、その逆向きを下方向（Ｚ２方向）とする。
【００９２】
本開示で提案する三槽式電解水製造装置２０１には、図１１に示すように、三槽式電解水製造装置１と形状以外は同様である、陽極室ユニット２１０、中間室ユニット２１２、及び、陰極室ユニット２１４、が含まれていてもよい。
【００９３】
陽極室ユニット２１０には、陽極室ユニット１０と形状以外は同様である、陽極室ケース２２０、Ｏリング２２２、陽極２２４、及び、陰イオン交換膜２２６が含まれていてもよい。Ｏリング２２２、陽極２２４、及び、陰イオン交換膜２２６のそれぞれは、Ｘ１−Ｘ２方向に垂直な断面は、手前側下部と奥側上部の角が丸く形成された略平行四辺形形状であってもよい。陽極２２４には前方に突出するようにタブ状の端子２２４ａが形成されていてもよい。
【００９４】
陽極室ケース２２０の左側面の中央には、陽極室の内壁となる陽極室凹部２２０ｅが形成されていてもよい。陽極室凹部２２０ｅの、Ｘ１−Ｘ２方向に垂直な断面が、手前側下部と奥側上部の角が丸く形成された略平行四辺形形状であってもよい。
【００９５】
陽極室ケース２２０の上面奥側には、円筒状の陽極室排液口２６４が上方に突出するように形成されていてもよい。また、当該陽極室排液口２６４及び陽極室ケース２２０の内部には、陽極室凹部２２０ｅの底面の奥側上部に右側から至る断面Ｌ字形状の排出路２６４ａが形成されていてもよい。また陽極室ケース２２０の下面手前側には、円筒状の陽極室給液口２６０が下方に突出するように形成されていてもよい。また、当該陽極室給液口２６０及び陽極室ケース２２０の内部には陽極室凹部２２０ｅの底面の手前側下部に右側から至る断面Ｌ字形状の流入路２６０ａが形成されていてもよい。そして陽極室給液口２６０から上述の原水が流入され、当該原水が陽極室で酸性電解水となり、陽極室排液口２６４から排出されてもよい。
【００９６】
また、陽極室ケース２２０には、陽極室凹部２２０ｅを囲むように、上壁部２２０ａ、下壁部２２０ｂ、手前側壁部２２０ｃ、及び、奥側壁部２２０ｄが形成されていてもよい。
【００９７】
中間室ユニット２１２には、中間室ユニット１２と形状以外は同様である、外側Ｏリング２３０、内側Ｏリング２３２、中間室ケース２３４、外側Ｏリング２３８、及び、内側Ｏリング２４０、が含まれていてもよい。外側Ｏリング２３０、内側Ｏリング２３２のそれぞれは、Ｘ１−Ｘ２方向に垂直な断面は、手前側下部と奥側上部の角が丸く形成された略平行四辺形形状であってもよい。また外側Ｏリング２３８、及び、内側Ｏリング２４０のそれぞれは、Ｘ１−Ｘ２方向に垂直な断面は、奥側下部と手前側上部の角が丸く形成された略平行四辺形形状であってもよい。
【００９８】
中間室ケース２３４にはその開口２３６が左右方向を向くように配置されていてもよい。
【００９９】
また、中間室ケース２３４には、開口２３６を囲むように、上壁部２３４ａ、下壁部２３４ｂ、手前側壁部２３４ｃ、及び、奥側壁部２３４ｄが形成されていてもよい。
【０１００】
中間室ケース２３４の上面手前側には、円筒状の中間室排液口２７０が上方に突出するように形成されていてもよい。また中間室ケース２３４の下面奥側には、円筒状の中間室給液口２６６が下方に突出するように形成されていてもよい。そして中間室給液口２６６から上述の塩素系電解質水溶液が流入され、中間室排液口２７０から排出されてもよい。
【０１０１】
また中間室ケース２３４は、右側から左側を見た際の形状（陽極室ケース２２０側から陰極室ケース２５６側を見た際の形状）と左側から右側を見た際の形状（陰極室ケース２５６側から前記陽極室ケース２２０側を見た際の形状）とが同じであってもよい。
【０１０２】
陰極室ユニット２１４には、陰極室ユニット１４と形状以外は同様である、陽イオン交換膜２５０、陰極２５２、Ｏリング２５４、及び、陰極室ケース２５６が含まれていてもよい。陽イオン交換膜２５０、陰極２５２、及び、Ｏリング２５４のそれぞれは、Ｘ１−Ｘ２方向に垂直な断面が、奥側下部と手前側上部の角が丸く形成された略平行四辺形形状であってもよい。陰極２５２には後方に突出するようにタブ状の端子２５２ａが形成されていてもよい。
【０１０３】
陰極室ケース２５６の右側面の中央には、陰極室の内壁となる陰極室凹部が形成されていてもよい。陰極室凹部の、Ｘ１−Ｘ２方向に垂直な断面が、奥側下部と手前側上部の角が丸く形成された略平行四辺形形状であってもよい。
【０１０４】
陰極室ケース２５６の上面手前側には、円筒状の陰極室排液口２７６が上方に突出するように形成されていてもよい。また、当該陰極室排液口２７６及び陰極室ケース２５６の内部には、陰極室凹部の底面の手前側上部に左側から至る断面Ｌ字形状の排出路２７６ａが形成されていてもよい。また陰極室ケース２５６の下面奥側には、円筒状の陰極室給液口２７２が下方に突出するように形成されていてもよい。また、当該陰極室給液口２７２及び陰極室ケース２５６の内部には陰極室凹部の底面の奥側下部に左側から至る断面Ｌ字形状の流入路２７２ａが形成されていてもよい。そして陰極室給液口２７２から上述の原水が流入され、当該原水が陰極室でアルカリ性電解水となり、陰極室排液口２７６から排出されてもよい。
【０１０５】
また、陰極室ケース２５６には、陰極室凹部を囲むように、上壁部２５６ａ、下壁部２５６ｂ、手前側壁部２５６ｃ、及び、奥側壁部２５６ｄが形成されていてもよい。
【０１０６】
三槽式電解水製造装置２０１においても、三槽式電解水製造装置１と同様に、上壁部２２０ａに、陽極室排液口２６４に向かって斜め上方に傾斜する下面が形成されてもよい。また上壁部２５６ａに、陰極室排液口２７６に向かって斜め上方に傾斜する下面が形成されていてもよい。
【０１０７】
また、上壁部２３４ａに、上壁部２２０ａの下面及び上壁部２５６ａの下面のそれぞれよりも下方に位置する下面が形成されていてもよい。
【０１０８】
また、上壁部２３４ａには、水平な下面が形成されていてもよい。
【０１０９】
また、下壁部２２０ｂに上壁部２２０ａの下面と平行な上面が形成されており、奥側壁部２２０ｄに手前側壁部２２０ｃの奥側面と平行な手前側面が形成されていてもよい。同様に下壁部２５６ｂに上壁部２５６ａの下面と平行な上面が形成されており、奥側壁部２５６ｄに手前側壁部２５６ｃの奥側面と平行な手前側面が形成されていてもよい。また下壁部２３４ｂに上壁部２３４ａの下面と平行な上面が形成されており、奥側壁部２３４ｄに手前側壁部２３４ｃの奥側面と平行な手前側面が形成されていてもよい。
【０１１０】
図１２には、三槽式電解水製造装置２０１を左から見た様子が模式的に示されている。図１２では、陽極２２４、流入路２６０ａ、及び、排出路２６４ａが二点鎖線で、陰極２５２、流入路２７２ａ、及び、排出路２７６ａが破線で表現されている。なお図１２では、陽極２２４及び陰極２５２に形成されている液体を通すための孔の記載を省略している。
【０１１１】
図１１及び図１２に示すように、陽極室ケース２２０が、陰極室ケース２５６と同じ形状であってもよい。また陽極２２４が、陰極２５２と同じ形状であってもよい。また陰イオン交換膜２２６が、陽イオン交換膜２５０と同じ形状であってもよい。
【０１１２】
そして陰極室ケース２５６が、中間室ケース２３４の中心を通るＺ１−Ｚ２方向の直線を軸として陽極室ケース２２０を１８０度回転させた位置に配置されるようにしてもよい。同様に、陰極２５２、及び、陽イオン交換膜２５０のそれぞれが、上記の直線を軸として、陽極２２４、及び、陰イオン交換膜２２６のそれぞれを１８０度回転させた位置に配置されるようにしてもよい。
【０１１３】
以上のように部品を共通化させることで、三槽式電解水製造装置２０１を構成する部品の種類の数を抑えるようにしてもよい。
【０１１４】
なお、三槽式電解水製造装置２０１が、メッシュパーツ３３やメッシュパーツ３７と同様のメッシュパーツを備えていてもよい。
【０１１５】
［第４実施形態］
図１３は、本開示で提案する第４実施形態の三槽式電解水製造装置３０１の内部部品を示す分解斜視図である。図１４は、第４実施形態の中間室ユニット３１２の左側面図である。図１５は、第４実施形態の中間室ユニット３１２の右側面からみた透過図である。
【０１１６】
なお、以下の説明では、図１３において右端に示されている陽極室ケース３２０に形成されている凹部の開口の向きを左方向（Ｘ１方向）とし、その逆向きを右方向（Ｘ２方向）とする。また、その手前側面の向きを前方（Ｙ１方向）とし、その逆向きを後方（Ｙ２方向）とする。また、その上面の向きを上方向（Ｚ１方向）とし、その逆向きを下方向（Ｚ２方向）とする。
【０１１７】
本開示で提案する三槽式電解水製造装置３０１には、図１３に示すように、陽極室ユニット３１０、中間室ユニット３１２、及び、陰極室ユニット３１４、が含まれていてもよい。
【０１１８】
陽極室ユニット３１０には、陽極室ケース３２０、Ｏリング３２２、陽極３２４、及び、陰イオン交換膜３２６が含まれていてもよい。陽極室ケース３２０、Ｏリング３２２、陽極３２４、及び、陰イオン交換膜３２６のそれぞれは、縦長である点を除いて、Ｏリング２２２、陽極２２４、及び、陰イオン交換膜２２６のそれぞれと同じであってもよい。
【０１１９】
中間室ユニット３１２には、外側Ｏリング３３０、内側Ｏリング３３２、中間室ケース３３４、外側Ｏリング３３８、及び、内側Ｏリング３４０、が含まれていてもよい。外側Ｏリング３３０、内側Ｏリング３３２、外側Ｏリング３３８、及び、内側Ｏリング３４０のそれぞれは、縦長である点を除いて、外側Ｏリング２３０、内側Ｏリング２３２、外側Ｏリング２３８、及び、内側Ｏリング２４０のそれぞれと同じであってもよい。中間室ケース３３４の開口３３６は、左右方向を向くように配置されていてもよい。
【０１２０】
陰極室ユニット３１４には、陽イオン交換膜３５０、陰極３５２、Ｏリング３５４、及び、陰極室ケース３５６が含まれていてもよい。陽イオン交換膜３５０、陰極３５２、Ｏリング３５４、及び、陰極室ケース３５６のそれぞれは、縦長である点を除いて、陽イオン交換膜２５０、陰極２５２、Ｏリング２５４、及び、陰極室ケース２５６のそれぞれと同じであってもよい。
【０１２１】
なお、図１５では、外側Ｏリング３３０と外側Ｏリング３３８とが重なる部分、及び、内側Ｏリング３３２と内側Ｏリング３４０とが重なる部分は二点鎖線で表現されている。
【０１２２】
図１３〜図１５に示すように、中間室ケース３３４には、その開口３３６が左右方向を向くように配置されていてもよい。そして開口３３６は、Ｘ１−Ｘ２方向に垂直な断面が略五角形形状であってもよい。そしてこの五角形の最も下の頂点に相当する位置から円筒状の中間室給液口３６６が下方に突出するように形成されていてもよい。また中間室給液口３６６の鉛直方向真上に位置する開口３３６の上面から円筒状の中間室排液口３７０が上方に突出するように形成されていてもよい。
【０１２３】
また、中間室を区画する上壁部に、陽極室を区画する上壁部の下面及び陰極室を区画する上壁部の下面のそれぞれよりも下方に位置する下面が形成されていてもよい。また、中間室を区画する上壁部には、水平な下面が形成されていてもよい。
【０１２４】
また中間室ケース３３４は、陽極室ケース３２０側から陰極室ケース３５６側を見た際の形状と陰極室ケース３５６側から前記陽極室ケース３２０側を見た際の形状とが同じであってもよい。
【０１２５】
なお、三槽式電解水製造装置３０１が、メッシュパーツ３３やメッシュパーツ３７と同様のメッシュパーツを備えていてもよい。
【０１２６】
［第５実施形態］
図１６は、本開示で提案する第５実施形態の三槽式電解水製造装置４０１の内部部品を示す分解斜視図である。図１７は、第５実施形態の中間室ユニット４１２の左側面図である。図１８は、第５実施形態の中間室ユニット４１２の右側面からみた透過図である。
【０１２７】
なお、以下の説明では、図１６において右端に示されている陽極室ケース４２０に形成されている凹部の開口の向きを左方向（Ｘ１方向）とし、その逆向きを右方向（Ｘ２方向）とする。また、その手前側面の向きを前方（Ｙ１方向）とし、その逆向きを後方（Ｙ２方向）とする。また、その上面の向きを上方向（Ｚ１方向）とし、その逆向きを下方向（Ｚ２方向）とする。
【０１２８】
本開示で提案する三槽式電解水製造装置４０１には、図１６に示すように、陽極室ユニット４１０、中間室ユニット４１２、及び、陰極室ユニット４１４、が含まれていてもよい。
【０１２９】
陽極室ユニット４１０には、陽極室ケース４２０、Ｏリング４２２、陽極４２４、及び、陰イオン交換膜４２６が含まれていてもよい。Ｏリング４２２、陽極４２４、及び、陰イオン交換膜４２６のそれぞれは、上部がＭ字形状である点を除いて、Ｏリング３２２、陽極３２４、及び、陰イオン交換膜３２６のそれぞれと同じであってもよい。
【０１３０】
陽極室ケース４２０の上面奥側と上面手前側のそれぞれに、円筒状の陽極室排液口４６４が上方に突出するように形成されていてもよい。また奥側の陽極室排液口４６４及び陽極室ケース４２０の内部には、陽極室ケース４２０の左側面に形成されている凹部の底面の奥側上部に右側から至る断面Ｌ字形状の排出路が形成されていてもよい。また手前側の陽極室排液口４６４及び陽極室ケース４２０の内部には、陽極室ケース４２０の左側面に形成されている凹部の底面の手前側上部に右側から至る断面Ｌ字形状の排出路が形成されていてもよい。また陽極室ケース４２０の上壁部に、２つの陽極室排液口４６４のそれぞれに向かって斜め上方に傾斜する下面が形成されてもよい。
【０１３１】
中間室ユニット４１２には、外側Ｏリング４３０、内側Ｏリング４３２、中間室ケース４３４、外側Ｏリング４３８、及び、内側Ｏリング４４０、が含まれていてもよい。外側Ｏリング４３０、及び、内側Ｏリング４３２のそれぞれは、上部がＭ字形状である点を除いて、外側Ｏリング３３０、及び、内側Ｏリング３３２のそれぞれと同じであってもよい。また外側Ｏリング４３８、及び、内側Ｏリング４４０のそれぞれは、上部がＭ字形状である点を除いて、外側Ｏリング３３８、及び、内側Ｏリング３４０のそれぞれと同じであってもよい。中間室ケース４３４は、外側Ｏリング４３０、内側Ｏリング４３２、中間室ケース４３４、外側Ｏリング４３８、及び、内側Ｏリング４４０が収容される部分の上部がＭ字形状である点を除いて、中間室ケース３３４と同じであってもよい。
【０１３２】
中間室ケース４３４の開口４３６は、左右方向を向くように配置されていてもよい。そして開口４３６は、Ｘ１−Ｘ２方向に垂直な断面が略五角形形状であってもよい。そしてこの五角形の最も下の頂点に相当する位置から円筒状の中間室給液口４６６が下方に突出するように形成されていてもよい。また中間室給液口４６６の鉛直方向真上に位置する開口４３６の上面から円筒状の中間室排液口４７０が上方に突出するように形成されていてもよい。
【０１３３】
陰極室ユニット４１４には、陽イオン交換膜４５０、陰極４５２、Ｏリング４５４、及び、陰極室ケース４５６が含まれていてもよい。陽イオン交換膜４５０、陰極４５２、及び、Ｏリング４５４のそれぞれは、上部がＭ字形状である点を除いて、陽イオン交換膜３５０、陰極３５２、及び、Ｏリング３５４のそれぞれと同じであってもよい。
【０１３４】
陰極室ケース４５６の上面奥側と上面手前側のそれぞれに、円筒状の陰極室排液口４７６が上方に突出するように形成されていてもよい。また奥側の陰極室排液口４７６及び陰極室ケース４５６の内部には、陰極室ケース４５６の右側面に形成されている凹部の底面の奥側上部に左側から至る断面Ｌ字形状の排出路が形成されていてもよい。また手前側の陰極室排液口４７６及び陰極室ケース４５６の内部には、陰極室ケース４５６の右側面に形成されている凹部の底面の手前側上部に左側から至る断面Ｌ字形状の排出路が形成されていてもよい。また陰極室ケース４５６の上壁部に、２つの陰極室排液口４７６のそれぞれに向かって斜め上方に傾斜する下面が形成されてもよい。
【０１３５】
なお、図１８では、外側Ｏリング４３０と外側Ｏリング４３８とが重なる部分、及び、内側Ｏリング４３２と内側Ｏリング４４０とが重なる部分は二点鎖線で表現されている。
【０１３６】
また中間室を区画する上壁部に、陽極室を区画する上壁部の下面及び陰極室を区画する上壁部の下面のそれぞれよりも下方に位置する下面が形成されていてもよい。また中間室を区画する上壁部には、水平な下面が形成されていてもよい。
【０１３７】
また中間室ケース４３４は、右側から左側を見た際の形状（陽極室ケース４２０側から陰極室ケース４５６側を見た際の形状）と左側から右側を見た際の形状（陰極室ケース４５６側から前記陽極室ケース４２０側を見た際の形状）とが同じであってもよい。
【０１３８】
なお、三槽式電解水製造装置４０１が、メッシュパーツ３３やメッシュパーツ３７と同様のメッシュパーツを備えていてもよい。
【０１３９】
なお、本明細書の開示は一例にすぎず、本開示の主旨を保った適宜変更であって当業者が容易に想到し得るものは本開示の範囲に含まれる。また、図面で示す各部の幅、厚さ及び形状等は模式的に表されており、本開示の解釈を限定するものではない。
【符号の説明】
【０１４０】
１  三槽式電解水製造装置、１０  陽極室ユニット、１２  中間室ユニット、１４  陰極室ユニット、２０  陽極室ケース、２０ａ  上壁部、２０ｂ  下壁部、２０ｃ  手前側壁部、２０ｄ  奥側壁部、２０ｅ  陽極室凹部、２０ｆ  凸部、２２  Ｏリング、２４  陽極、２４ａ  端子、２６  陰イオン交換膜、３０  外側Ｏリング、３２  内側Ｏリング、３３  メッシュパーツ、３３ａ  凸部、３４  中間室ケース、３４ａ  上壁部、３４ｂ  下壁部、３４ｃ  手前側壁部、３４ｄ  奥側壁部、３６  開口、３７  メッシュパーツ、３７ａ  凸部、３８  外側Ｏリング、４０  内側Ｏリング、５０  陽イオン交換膜、５２  陰極、５２ａ  端子、５４  Ｏリング、５６  陰極室ケース、５６ａ  上壁部、５６ｂ  下壁部、５６ｃ  手前側壁部、５６ｄ  奥側壁部、５６ｅ  陰極室凹部、５６ｆ  凸部、６０  陽極室給液口、６０ａ  流入路、６０ａａ  部分流入路、６０ａｂ  部分流入路、６２  陽極室、６２ａ  陽極室余裕空間、６４  陽極室排液口、６４ａ  排出路、６４ａａ  部分排出路、６４ａｂ  部分排出路、６６  中間室給液口、６６ａ  流入路、６８  中間室、７０  中間室排液口、７０ａ  排出路、７２  陰極室給液口、７２ａ  流入路、７４  陰極室、７４ａ  陰極室余裕空間、７６  陰極室排液口、７６ａ  排出路、  １０１  三槽式電解水製造装置、１１０  陽極室ユニット、１１２  中間室ユニット、１１４  陰極室ユニット、１２０  陽極室ケース、１２０ａ  上壁部、１２０ｂ  下壁部、１２０ｃ  手前側壁部、１２０ｄ  奥側壁部、１２０ｅ  陽極室凹部、１２０ｆ  凸部、１２２  Ｏリング、１２４  陽極、１２４ａ  端子、１２６  陰イオン交換膜、１３０  外側Ｏリング、１３２  内側Ｏリング、１３４  中間室ケース、１３４ａ  上壁部、１３４ｂ  下壁部、１３４ｃ  手前側壁部、１３４ｄ  奥側壁部、１３４ｅ  凸部、１３４ｆ  凸部、１３６  開口、１３８  外側Ｏリング、１４０  内側Ｏリング、１５０  陽イオン交換膜、１５２  陰極、１５２ａ  端子、１５４  Ｏリング、１５６  陰極室ケース、１５６ａ  上壁部、１５６ｂ  下壁部、１５６ｃ  手前側壁部、１５６ｄ  奥側壁部、１５６ｅ  陰極室凹部、１５６ｆ  凸部、１６０  陽極室給液口、１６０ａ  流入路、１６２  陽極室、１６２ａ  陽極室余裕空間、１６４  陽極室排液口、１６４ａ  排出路、１６６  中間室給液口、１６６ａ  流入路、１６８  中間室、１７０  中間室排液口、１７０ａ  排出路、１７２  陰極室給液口、１７２ａ  流入路、１７４  陰極室、１７４ａ  陰極室余裕空間、１７６  陰極室排液口、１７６ａ  排出路、２０１  三層式電解水製造装置、２１０  陽極室ユニット、２１２  中間室ユニット、２１４  陰極室ユニット、２２０  陽極室ケース、２２０ａ  上壁部、２２０ｂ  下壁部、２２０ｃ  手前側壁部、２２０ｄ  奥側壁部、２２０ｅ  陽極室凹部、２２２  Ｏリング、２２４  陽極、２２４ａ  端子、２２６  陰イオン交換膜、２３０  外側Ｏリング、２３２  内側Ｏリング、２３４  中間室ケース、２３４ａ  上壁部、２３４ｂ  下壁部、２３４ｃ  手前側壁部、２３４ｄ  奥側壁部、２３６  開口、２３８  外側Ｏリング、２４０  内側Ｏリング、２５０  陽イオン交換膜、２５２  陰極、２５２ａ  端子、２５４  Ｏリング、２５６  陰極室ケース、２５６ａ  上壁部、２５６ｂ  下壁部、２５６ｃ  手前側壁部、２５６ｄ  奥側壁部、２６０  陽極室給液口、２６０ａ  流入路、２６４  陽極室排液口、２６４ａ  排出路、２６６  中間室給液口、２７０  中間室排液口、２７２  陰極室給液口、２７２ａ  流入路、２７６  陰極室排液口、２７６ａ  排出路、３０１  三層式電解水製造装置、３１０  陽極室ユニット、３１２  中間室ユニット、３１４  陰極室ユニット、３２０  陽極室ケース、３２２  Ｏリング、３２４  陽極、３２６  陰イオン交換膜、３３０  外側Ｏリング、３３２  内側Ｏリング、３３４  中間室ケース、３３６  開口、３３８  外側Ｏリング、３４０  内側Ｏリング、３５０  陽イオン交換膜、３５２  陰極、３５４  Ｏリング、３５６  陰極室ケース、３６６  中間室給液口、３７０  中間室排液口、４０１  三層式電解水製造装置、４１０  陽極室ユニット、４１２  中間室ユニット、４１４  陰極室ユニット、４２０  陽極室ケース、４２２  Ｏリング、４２４  陽極、４２６  陰イオン交換膜、４３０  外側Ｏリング、４３２  内側Ｏリング、４３４  中間室ケース、４３６  開口、４３８  外側Ｏリング、４４０  内側Ｏリング、４５０  陽イオン交換膜、４５２  陰極、４５４  Ｏリング、４５６  陰極室ケース、４６４  陽極室排液口、４６６  中間室給液口、４７０  中間室排液口、４７６  陰極室排液口。
【図１】
2018065106.tif 000003
【図２】
2018065106.tif 000004
【図３】
2018065106.tif 000005
【図４】
2018065106.tif 000006
【図５Ａ】
2018065106.tif 000007
【図５Ｂ】
2018065106.tif 000008
【図６】
2018065106.tif 000009
【図７】
2018065106.tif 000010
【図８】
2018065106.tif 000011
【図９】
2018065106.tif 000012
【図１０Ａ】
2018065106.tif 000013
【図１０Ｂ】
2018065106.tif 000014
【図１１】
2018065106.tif 000015
【図１２】
2018065106.tif 000016
【図１３】
2018065106.tif 000017
【図１４】
2018065106.tif 000018
【図１５】
2018065106.tif 000019
【図１６】
2018065106.tif 000020
【図１７】
2018065106.tif 000021
【図１８】
2018065106.tif 000022